【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられ、遊技にて獲得された遊技媒体を計数する計数手段と、前記計数手段にて計数された遊技媒体の数である計数遊技媒体数の範囲内の遊技媒体を、対応する前記遊技機に払出すための処理を行う払出処理手段と、を有する遊技用装置と、
前記遊技用装置と通信可能であり前記計数遊技媒体数を管理する管理装置と、
を備えた遊技用システムであって、
前記遊技用装置は、
一般用記録媒体、または会員登録した会員に発行された会員用記録媒体を受付ける受付手段と、
前記計数遊技媒体数を、前記一般用記録媒体、または前記会員用記録媒体により特定可能とするための特定化処理を行う特定化処理手段と、
前記受付手段に受付けられている前記一般用記録媒体または前記会員用記録媒体を排出する処理を行う排出処理手段と、
新たな一般用記録媒体を前記受付手段に供給可能に格納する格納手段と、
前記管理装置との通信状態を判定する判定手段と、
を備え、
前記特定化処理手段は、前記特定化処理として、前記受付手段において前記一般用記録媒体が受付けられている場合は、前記判定手段による通信状態の判定に関わらず、当該一般用記録媒体に前記計数遊技媒体数を記録させる一般特定化処理を行い、前記受付手段において前記会員用記録媒体が受付けられており、前記判定手段により通信可能と判定されている場合は、前記管理装置に対して当該会員用記録媒体から読み出した識別情報と前記計数遊技媒体数とを送信する通信可能時会員特定化処理を行い、前記受付手段において前記会員用記録媒体が受付けられており、前記判定手段により通信不能と判定されている場合は、受付けている前記会員用記録媒体を前記排出処理手段によって排出させ、前記格納手段に格納されていた新たな一般用記録媒体に前記計数遊技媒体数を記録させる通信不能時会員特定化処理を行う
ことを特徴とする遊技用システム。
【手続補正２】
【補正対象書類名】明細書
【補正対象項目名】発明の名称
【補正方法】変更
【補正の内容】
【発明の名称】遊技用システム
【手続補正３】
【補正対象書類名】明細書
【補正対象項目名】０００１
【補正方法】変更
【補正の内容】
【０００１】
本発明は、遊技機に１対１に対応して設けられた遊技用装置並びに遊技用装置と通信可能な管理装置とを備えた遊技用システムに関する。
【手続補正４】
【補正対象書類名】明細書
【補正対象項目名】０００４
【補正方法】変更
【補正の内容】
【０００４】
しかしながら、特許文献１の各台計数システムにあっては、会員遊技者が損害を被ることを解消できないという問題があった。
【手続補正５】
【補正対象書類名】明細書
【補正対象項目名】０００５
【補正方法】変更
【補正の内容】
【０００５】
本発明は、このような問題点に着目してなされたもので、会員遊技者が損害を被ることを解消することのできる遊技用システムを提供することを目的とする。
【手続補正６】
【補正対象書類名】明細書
【補正対象項目名】０００６
【補正方法】変更
【補正の内容】
【０００６】
上記課題を解決するために、本発明の請求項１に記載の遊技用システムは、
遊技機に１対１に対応して設けられ、遊技にて獲得された遊技媒体を計数する計数手段と、前記計数手段にて計数された遊技媒体の数である計数遊技媒体数の範囲内の遊技媒体を、対応する前記遊技機と通信を行うことにより前記遊技機に払出させるための処理を行う払出処理手段と、を有する遊技用装置と、
前記遊技用装置と通信可能であり前記計数遊技媒体数を管理する管理装置と、
を備えた遊技用システムであって、
前記遊技用装置は、
一般用記録媒体、または会員登録した会員に発行された会員用記録媒体を受付ける受付手段と、
前記計数遊技媒体数を、前記一般用記録媒体、または前記会員用記録媒体により特定可能とするための特定化処理を行う特定化処理手段と、
前記受付手段に受付けられている前記一般用記録媒体または前記会員用記録媒体を排出する処理を行う排出処理手段と、
新たな一般用記録媒体を前記受付手段に供給可能に格納する格納手段と、
前記管理装置との通信状態を判定する判定手段と、
を備え、
前記特定化処理手段は、前記特定化処理として、前記受付手段において前記一般用記録媒体が受付けられている場合は、前記判定手段による通信状態の判定に関わらず、当該一般用記録媒体に前記計数遊技媒体数を記録させる一般特定化処理を行い、前記受付手段において前記会員用記録媒体が受付けられており、前記判定手段により通信可能と判定されている場合は、前記管理装置に対して当該会員用記録媒体から読み出した識別情報と前記計数遊技媒体数とを送信する通信可能時会員特定化処理を行い、前記受付手段において前記会員用記録媒体が受付けられており、前記判定手段により通信不能と判定されている場合は、受付けている前記会員用記録媒体を前記排出処理手段によって排出させ、前記格納手段に格納されていた新たな一般用記録媒体に前記計数遊技媒体数を記録させる通信不能時会員特定化処理を行う
ことを特徴としている。
この特徴によれば、会員遊技者が損害を被ることを解消することができる。
また、本発明の手段１の遊技用装置は、
遊技機（パチンコ機２）に１対１に対応して設けられ、かつ対応する遊技機における遊技にて獲得された獲得遊技媒体数（獲得玉数）を計数するとともに、該計数された獲得遊技媒体数の範囲内の遊技媒体を対応する遊技機に払出す遊技媒体計数装置（計数・払出ユニット４）と接続されるとともに、遊技機における遊技に使用可能なプリペイド価値の大きさと遊技者が所持する遊技用記録媒体を個々に識別可能な記録媒体識別情報とを対応付けて管理する管理装置と通信可能であって、
前記遊技用記録媒体（会員カード、ビジターカード）を受付けて、受付けた該遊技用記録媒体に記録されている記録媒体識別情報を少なくとも読み出す記録媒体処理手段（カードリーダライタ３２７）と、
前記記録媒体処理手段にて読み出した記録媒体識別情報に対応付けて前記管理装置に記憶されているプリペイド価値の大きさの少なくとも一部を使用し、該使用するプリペイド価値の大きさに相当する遊技媒体を貸出すための遊技媒体貸出し手段（制御ユニット３２８、貸出処理）と、
前記遊技用記録媒体を排出するための排出操作を検知する排出操作検知手段（制御ユニット３２８、Ｓｂ５）と、
を備える遊技用装置（カードユニット３）であって、
前記記録媒体処理手段に受付け中の遊技用記録媒体から読み出した前記記録媒体識別情報を出力するとともに、前記排出操作検知手段による排出操作の検知に応じて、前記記録媒体識別情報が出力された前記記録媒体処理手段に受付け中の遊技用記録媒体を排出し、
前記遊技媒体計数装置は、少なくとも遊技場に会員登録した会員遊技者が所有する獲得遊技媒体数を管理する獲得遊技媒体数管理装置と通信可能に接続されており、前記遊技用装置から出力される記録媒体識別情報を取得し、該取得した記録媒体識別情報と計数した獲得遊技媒体数とを前記獲得遊技媒体数管理装置に送信して、前記獲得遊技媒体数管理装置において該記録媒体識別情報に対応付けて記憶されている獲得遊技媒体数を更新させる特定化処理を実行する
ことを特徴としている。
この特徴によれば、獲得遊技媒体数が受付け中の遊技用記録媒体により特定可能とされるため、遊技者が、遊技を終了して遊技機を離れる際には、遊技用記録媒体のみの返却を受けて所持すれば良いので、遊技者の利便性を向上することができる。
【手続補正７】
【補正対象書類名】明細書
【補正対象項目名】０００７
【補正方法】変更
【補正の内容】
【０００７】
また、本発明の手段２の遊技用装置は、手段１に記載の遊技用装置であって、
前記遊技用装置は、前記記録媒体処理手段に受付け中の遊技用記録媒体が遊技場に会員登録している会員遊技者に対して発行される会員用記録媒体であるときには、該受付け中の会員用記録媒体から読み出した記録媒体識別情報を出力し、前記記録媒体処理手段に受付け中の遊技用記録媒体が前記会員用記録媒体ではない一般用記録媒体であるときには、前記遊技媒体計数装置における計数に基づく獲得遊技媒体数を前記記録媒体処理手段に受付け中の一般用記録媒体に記録する
ことを特徴としている。
この特徴によれば、遊技媒体計数装置にて計数された獲得遊技媒体数が一般用記録媒体に記録されるので、排出操作の検知に応じて、迅速に一般用記録媒体を排出することができる。
【手続補正８】
【補正対象書類名】明細書
【補正対象項目名】０００８
【補正方法】変更
【補正の内容】
【０００８】
また、本発明の手段３の遊技用装置は、手段２に記載の遊技用装置であって、
前記遊技用装置は、前記記録媒体処理手段に受付け中の前記一般用記録媒体に獲得遊技媒体数を記録するときに、該一般用記録媒体の排出を禁止する
ことを特徴としている。
この特徴によれば、獲得遊技媒体数を記録するときに遊技用記録媒体が排出されてしまうことによる遊技者の不利益の発生を回避することができる。
【手続補正９】
【補正対象書類名】明細書
【補正対象項目名】０００９
【補正方法】変更
【補正の内容】
【０００９】
また、本発明の手段４の遊技用装置は、手段２または３に記載の遊技用装置であって、
前記遊技用装置は、前記記録媒体処理手段に受付け中の一般用記録媒体に獲得遊技媒体数を記録するときに、前記遊技媒体貸出し手段による遊技媒体の貸出しを禁止する
ことを特徴としている。
この特徴によれば、獲得遊技媒体数を記録するときに遊技媒体の貸出しが行われてしまうことによる遊技者の不利益の発生を回避することができる。
【手続補正１０】
【補正対象書類名】明細書
【補正対象項目名】００１０
【補正方法】変更
【補正の内容】
【００１０】
また、本発明の手段５の遊技用装置は、手段２〜４のいずれかに記載の遊技用装置であって、
前記遊技用装置は、
新たに発行可能な前記一般用記録媒体を前記記録媒体処理手段に供給可能に格納する一般用記録媒体格納手段と、
前記遊技媒体計数装置と前記獲得遊技媒体数管理装置との通信状態が、接続状態或いは非接続状態のいずれであるかを、前記遊技媒体計数装置から受信した接続情報に基づき特定する接続状態特定手段と、
を備え、
前記記録媒体処理手段において前記一般用記録媒体を受付けているときには、前記接続状態特定手段により特定される通信状態に関わらず、前記獲得遊技媒体数を該一般用記録媒体に前記記録媒体処理手段により記録させ、前記記録媒体処理手段において前記会員用記録媒体を受付けているときには、前記接続状態特定手段により特定される通信状態が接続状態であれば、該会員用記録媒体から前記記録媒体処理手段により読み出した記録媒体識別情報を出力して、該記録媒体識別情報に対応付けて前記獲得遊技媒体数を前記獲得遊技媒体数管理装置で管理させる一方、前記接続状態特定手段により特定される通信状態が非接続状態であれば、受付けている該会員用記録媒体を前記記録媒体処理手段に返却させるとともに、前記一般用記録媒体格納手段に格納されている一般用記録媒体に、前記獲得遊技媒体数を前記記録媒体処理手段により記録させて排出させる
ことを特徴としている。
この特徴によれば、獲得遊技媒体数管理装置との通信状態が非接続状態であるときに会員用記録媒体が返却されることきに、獲得遊技媒体数が該返却される会員用記録媒体によって特定不能となって会員遊技者が損害を被ることを解消できる。
【手続補正１１】
【補正対象書類名】明細書
【補正対象項目名】００１１
【補正方法】変更
【補正の内容】
【００１１】
また、本発明の手段６の遊技媒体計数装置は、
遊技機における遊技に使用可能なプリペイド価値の大きさと遊技者が所持する遊技用記録媒体を個々に識別可能な記録媒体識別情報とを対応付けて管理する管理装置との通信を行う管理装置通信手段と、
前記遊技用記録媒体を受付けて、受付けた該遊技用記録媒体に記録されている記録媒体識別情報を少なくとも読み出す記録媒体処理手段と、
前記記録媒体処理手段にて読み出した記録媒体識別情報に対応付けて前記管理装置に記憶されているプリペイド価値の大きさの少なくとも一部を使用し、該使用するプリペイド価値の大きさに相当する遊技媒体を貸出すための遊技媒体貸出し手段と、
を備える遊技用装置と接続され、
遊技機に１対１に対応して設けられ、かつ対応する遊技機における遊技にて獲得された獲得遊技媒体数を計数するとともに、該計数された獲得遊技媒体数の範囲内の遊技媒体を対応する遊技機に払出す遊技媒体計数装置であって、
前記記録媒体処理手段に受付け中の遊技用記録媒体から読み出されて前記遊技用装置から出力される記録媒体識別情報を取得し、
少なくとも遊技場に会員登録した会員遊技者が所有する獲得遊技媒体数を管理する獲得遊技媒体数管理装置と通信可能に接続されており、前記取得した記録媒体識別情報と計数した獲得遊技媒体数とを前記獲得遊技媒体数管理装置に送信して、前記獲得遊技媒体数管理装置において該記録媒体識別情報に対応付けて記憶されている獲得遊技媒体数を更新させる特定化処理を実行する
ことを特徴としている。
この特徴によれば、獲得遊技媒体数が受付け中の遊技用記録媒体により特定可能とされるため、遊技者が、遊技を終了して遊技機を離れる際には、遊技用記録媒体のみの返却を受けて所持すれば良いので、これら遊技者の利便性を向上することができる遊技用装置に適した遊技媒体計数装置を提供できる。
【手続補正１２】
【補正対象書類名】明細書
【補正対象項目名】００１２
【補正方法】変更
【補正の内容】
【００１２】
また、本発明の手段７の遊技媒体計数装置は、手段６に記載の遊技媒体計数装置であって、
前記遊技用装置は、前記記録媒体処理手段に受付け中の遊技用記録媒体が遊技場に会員登録している会員遊技者に対して発行される会員用記録媒体であるときには、該受付け中の会員用記録媒体から読み出した記録媒体識別情報を出力し、前記記録媒体処理手段に受付け中の遊技用記録媒体が前記会員用記録媒体ではない一般用記録媒体であるときには、前記遊技媒体計数装置における計数に基づく獲得遊技媒体数を前記記録媒体処理手段に受付け中の一般用記録媒体に記録する
ことを特徴としている。
この特徴によれば、遊技媒体計数装置にて計数された獲得遊技媒体数が一般用記録媒体に記録されるので、排出操作の検知に応じて、迅速に一般用記録媒体を排出することができる遊技用装置に適した遊技媒体計数装置を提供できる。
【手続補正１３】
【補正対象書類名】明細書
【補正対象項目名】００１３
【補正方法】変更
【補正の内容】
【００１３】
また、本発明の手段８の遊技媒体計数装置は、手段７に記載の遊技媒体計数装置であって、
前記遊技用装置は、前記記録媒体処理手段に受付け中の前記一般用記録媒体に獲得遊技媒体数を記録するときに、該一般用記録媒体の排出を禁止する
ことを特徴としている。
この特徴によれば、獲得遊技媒体数を記録するときに遊技用記録媒体が排出されてしまうことによる遊技者の不利益の発生を回避することができる遊技用装置に適した遊技媒体計数装置を提供できる。
【手続補正１４】
【補正対象書類名】明細書
【補正対象項目名】００１４
【補正方法】変更
【補正の内容】
【００１４】
また、本発明の手段９の遊技媒体計数装置は、手段７または８に記載の遊技媒体計数装置であって、
前記遊技用装置は、前記記録媒体処理手段に受付け中の前記一般用記録媒体に獲得遊技媒体数を記録するときに、前記遊技媒体貸出し手段による遊技媒体の貸出しを禁止する
ことを特徴としている。
この特徴によれば、獲得遊技媒体数を記録するときに遊技媒体の貸出しが行われてしまうことによる遊技者の不利益の発生を回避することができる遊技用装置に適した遊技媒体計数装置を提供できる。
【手続補正１５】
【補正対象書類名】明細書
【補正対象項目名】００１５
【補正方法】変更
【補正の内容】
【００１５】
また、本発明の手段１０の遊技媒体計数装置は、手段７〜９のいずれかに記載の遊技媒体計数装置であって、
前記遊技用装置は、
新たに発行可能な前記一般用記録媒体を前記記録媒体処理手段に供給可能に格納する一般用記録媒体格納手段と、
前記遊技媒体計数装置と前記獲得遊技媒体数管理装置との通信状態が、接続状態或いは非接続状態のいずれであるかを、前記遊技媒体計数装置から受信した接続情報に基づき特定する接続状態特定手段と、
を備え、
前記記録媒体処理手段において前記一般用記録媒体を受付けているときには、前記接続状態特定手段により特定される通信状態に関わらず、前記獲得遊技媒体数を該一般用記録媒体に前記記録媒体処理手段により記録させ、前記記録媒体処理手段において前記会員用記録媒体を受付けているときには、前記接続状態特定手段により特定される通信状態が接続状態であれば、該会員用記録媒体から前記記録媒体処理手段により読み出した記録媒体識別情報を出力して、該記録媒体識別情報に対応付けて前記獲得遊技媒体数を前記獲得遊技媒体数管理装置で管理させる一方、前記接続状態特定手段により特定される通信状態が非接続状態であれば、受付けている該会員用記録媒体を前記記録媒体処理手段に返却させるとともに、前記一般用記録媒体格納手段に格納されている一般用記録媒体に、前記獲得遊技媒体数を前記記録媒体処理手段により記録させて排出させる
ことを特徴としている。
この特徴によれば、獲得遊技媒体数管理装置との通信状態が非接続状態であるときに会員用記録媒体が返却されることきに、獲得遊技媒体数が該返却される会員用記録媒体によって特定不能となって会員遊技者が損害を被ることを解消できる遊技用装置に適した遊技媒体計数装置を提供できる。
【手続補正１６】
【補正対象書類名】明細書
【補正対象項目名】００１６
【補正方法】変更
【補正の内容】
【００１６】
本発明の手段１１の遊技用装置は、手段１に記載の遊技用装置であって、
前記特定化処理手段（制御ユニット３２８）は、前記特定化処理（計数対応処理）として、前記遊技媒体計数装置（計数・払出ユニット４）において遊技媒体（パチンコ玉）の計数が実施されることにより該遊技媒体計数装置から送信される獲得遊技媒体数（持玉数）を受信する毎に、該受信した獲得遊技媒体数を前記記録媒体処理手段に受付け中の遊技用記録媒体（ビジターカード）に記録するための処理を行うことを特徴としている。
この特徴によれば、遊技媒体計数装置における遊技媒体の計数に応じて獲得遊技媒体数が逐次、遊技用記録媒体に記録されるので、遊技媒体計数装置との接続に不具合が生じた場合の遊技者の不利益の発生を低減できるばかりか、排出操作の検知に応じて、迅速に遊技用記録媒体を排出することができる。
【手続補正１７】
【補正対象書類名】明細書
【補正対象項目名】００１７
【補正方法】変更
【補正の内容】
【００１７】
本発明の手段１２の遊技用装置は、手段１または手段１１に記載の遊技用装置であって、
前記特定化処理手段（制御ユニット３２８）は、前記特定化処理（計数対応処理）として、前記遊技媒体計数装置（計数・払出ユニット４）における計数に基づく獲得遊技媒体数（持玉数）を前記記録媒体処理手段（カードリーダライタ３２７）に受付け中の遊技用記録媒体（ビジターカード）に記録するための処理を行い、
前記遊技媒体計数装置において遊技媒体（パチンコ玉）の計数が開始されたことに応じて該遊技媒体計数装置から送信される計数開始通知を受信した時点から、該開始された遊技媒体の計数が終了したことに応じて該遊技媒体計数装置から送信される該計数に基づく獲得遊技媒体数を特定可能な計数終了通知を受信することにより、該計数終了通知から特定される獲得遊技媒体数を遊技用記録媒体に記録するための前記特定化処理が完了した旨を特定可能な計数終了応答を該遊技媒体計数装置に返信する時点まで、前記排出操作検知手段による排出操作の検知に応じた遊技用記録媒体の排出を禁止することを特徴としている。
この特徴によれば、計数終了通知から特定される獲得遊技媒体数の遊技用記録媒体への記録が完了する以前に、遊技用記録媒体が排出されてしまうことによる遊技者の不利益の発生を回避することができる。
【手続補正１８】
【補正対象書類名】明細書
【補正対象項目名】００１８
【補正方法】変更
【補正の内容】
【００１８】
本発明の手段１３に記載の遊技用装置は、手段１２に記載の遊技用装置であって、
前記遊技用記録媒体は、前記獲得遊技媒体数が記録されず、該獲得遊技媒体数（持玉数）が対応付けて管理される情報であって遊技場に会員登録した各会員遊技者を個々に識別可能な会員識別情報（会員ＩＤ）が記録された会員用記録媒体（会員カード）と、該会員識別情報が記録されず、前記獲得遊技媒体数（持玉数）が記録される一般用記録媒体（ビジターカード）とを含み、
前記記録媒体処理手段（カードリーダライタ３２７）に前記会員用記録媒体を受付け中において、前記遊技媒体計数装置（計数・払出ユニット４）から計数終了通知を受信したときには、該計数終了通知から特定される獲得遊技媒体数を受付け中の会員用記録媒体に記録することなく前記計数終了応答を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正１９】
【補正対象書類名】明細書
【補正対象項目名】００１９
【補正方法】変更
【補正の内容】
【００１９】
本発明の手段１４に記載の遊技用装置は、手段１、手段１１〜手段１３のいずれかに記載の遊技用装置であって、
前記特定化処理手段（制御ユニット３２８）は、前記特定化処理として、前記遊技媒体計数装置における計数に基づく獲得遊技媒体数を前記記録媒体処理手段に受付け中の遊技用記録媒体に記録するための処理を行い、
前記記録媒体処理手段（カードリーダライタ３２７）に、前記獲得遊技媒体数（持玉数）が記録された遊技用記録媒体（ビジターカード）を受付け中に、前記遊技媒体計数装置に（計数・払出ユニット４）おいて遊技媒体の払出操作（払出ボタン４０１の操作）が行われた旨を特定可能な払出開始通知（計数払出開始通知）を該遊技媒体計数装置から受信した時点から、該払出操作に応じて前記遊技媒体計数装置において払出される遊技媒体数（単位払出玉数）を減じた新たな獲得遊技媒体数（持玉数）を該受付け中の遊技用記録媒体に更新記録する減算処理が完了した旨を特定可能な減算終了通知（計数引落完了通知）を該遊技媒体計数装置に返信する時点まで、前記排出操作検知手段（Ｓｂ５）による排出操作の検知に応じた遊技用記録媒体の排出を禁止することを特徴としている。
この特徴によれば、減算処理が完了する以前に遊技用記録媒体が排出されてしまうことによる遊技者或いは遊技場の不利益の発生を回避することができる。
【手続補正２０】
【補正対象書類名】明細書
【補正対象項目名】００２０
【補正方法】変更
【補正の内容】
【００２０】
本発明の手段１５の遊技用装置は、手段１４に記載の遊技用装置であって、
前記遊技用記録媒体は、前記獲得遊技媒体数が記録されず、該獲得遊技媒体数が対応付けて管理される情報であって遊技場に会員登録した各会員遊技者を個々に識別可能な会員識別情報が記録された会員用記録媒体と、該会員識別情報が記録されず、前記獲得遊技媒体数が記録される一般用記録媒体とを含み、
前記記録媒体処理手段（カードリーダライタ３２７）に前記会員用記録媒体（会員カード）を受付け中において、前記遊技媒体計数装置（計数・払出ユニット４）から払出開始通知（計数払出開始通知）を受信したときには、前記減算処理を実施することなく前記減算終了通知（計数払出終了応答）を返信することを特徴としている。
この特徴によれば、遊技媒体計数装置との送受信内容が、会員用記録媒体と一般用記録媒体との受付け時において同じとされることで、これら記録媒体の種別毎に、異なる通信用プログラムを開発したり異なる通信用プログラムを用いる必要がないので、開発コストの削減やプログラム容量の削減ができる。
【手続補正２１】
【補正対象書類名】明細書
【補正対象項目名】００２１
【補正方法】変更
【補正の内容】
【００２１】
本発明の手段１６の遊技用装置は、手段１、手段１１〜手段１５のいずれかに記載の遊技用装置であって、
前記遊技者が遊技を中断するための離席操作を受付けるための離席操作受付け手段（ＩＲ受光ユニット３１５）を備え、
前記離席操作の受付けに応じて、前記遊技媒体計数装置（計数・払出ユニット４）に対し、離席モードを開始する旨を特定可能な離席モード開始通知（離席モード通知（開始））を送信し、前記記録媒体処理手段（カードリーダライタ３２７）に受付け中の遊技用記録媒体（会員カード、ビジターカード）から読み出した、該遊技用記録媒体を特定可能な記録媒体識別情報（会員カードＩＤまたはカードＩＤ）を記憶して該遊技用記録媒体を排出するとともに、遊技用記録媒体の受付け以外の操作を禁止して離席モードを開始し、離席モード中に受付けた遊技用記録媒体から読み出した記録媒体識別情報が、該離席モードの開始時に記憶した前記記録媒体識別情報と一致することを条件に、離席モードを終了する旨を特定可能な離席モード終了通知（離席モード通知（終了））を前記遊技媒体計数装置に送信するとともに、前記操作の禁止を解除して離席モードを終了することを特徴としている。
この特徴によれば、離席モード開始通知を遊技媒体計数装置に対して送信することで、遊技用記録媒体の受付け以外の操作が禁止される離席モードと連携して、該遊技媒体計数装置における計数や払出を禁止させることができるとともに、遊技者は、離席において遊技用記録媒体のみを所持するのみで良く、遊技者の利便性を向上できる。
【手続補正２２】
【補正対象書類名】明細書
【補正対象項目名】００４１
【補正方法】変更
【補正の内容】
【００４１】
特図可変表示部２８の表示結果並びに演出表示部２９の演出図柄の表示結果が予め定められた大当り図柄の組合せで停止表示されたときには前述したように大当りが発生するが、これら大当り図柄に停止表示される以前の状態において、リーチ状態が発生する場合がある。
【手続補正２３】
【補正対象書類名】明細書
【補正対象項目名】００４２
【補正方法】変更
【補正の内容】
【００４２】
特図可変表示部２８並びに演出表示部２９で可変表示された特別図柄並びに演出図柄が所定の確率変動図柄の種類に一致した図柄の組合せで停止表示されたときには、前記繰返し継続制御による「大当り」の終了後に、再度大当りとなる確率が通常の確率状態よりも高い確率状態となる確率変動状態となるようになっており、これら確率変動図柄での大当りを通常の大当りと区別して「確変大当り」と呼称し、これら確変大当り終了後における確率変動状態中において、確変中信号が出力状態とされることで、該確率変動状態の発生が外部に通知される。
【手続補正２４】
【補正対象書類名】明細書
【補正対象項目名】００４３
【補正方法】変更
【補正の内容】
【００４３】
また、特図可変表示部２８並びに演出表示部２９で可変表示された特別図柄並びに演出図柄が所定の確率変動図柄以外の図柄の組合せで停止表示されたときには、前記繰返し継続制御による「大当り」の終了後に、特図可変表示部２８並びに演出表示部２９で可変表示が所定回数に達するか或いは次の大当りが発生するまでの間、特図可変表示部２８における特別図柄および演出表示部２９における演出図柄の可変表示時間（変動時間）が通常遊技状態よりも短縮される時短状態となるようになっており、これら時短状態中において、時短中信号が出力状態とされることで、該時短状態の発生が外部に通知される。
【手続補正２５】
【補正対象書類名】明細書
【補正対象項目名】００５６
【補正方法】変更
【補正の内容】
【００５６】
本実施例に用いたカードリーダライタ３２７の構成を図４を用いて、より詳細に説明すると、該カードリーダライタ３２７の内部には、前記カード挿入口３０９からの会員カードやビジターカードの挿入並びに会員カードやビジターカードが挿入中であることを検知する挿入センサ３９７や、後述する発行・入金処理の実施中或いは会員カードやビジターカードの挿入中においてカード挿入口３０９からの新たな会員カードやビジターカードの挿入を阻止するためのシャッタの出没を行うシャッタ用ソレノイド３９９や、前記カード挿入口３０９から延設され、会員カードやビジターカードがスライド可能とされたガイドレール３９８と、該ガイドレール３９８を挟むように配設されてカードスロット３９２に挿入された会員カードやビジターカードを、カードスロット３９２の内方側に取り込むとともに、会員カードやビジターカードをカード挿入口３０９から排出する取込・排出ローラ３８７’並びに該取込・排出ローラ３８７’を駆動する駆動モータ３８６’と、取込・排出ローラ３８７’によりカードスロット３９２の内方側に取り込まれた会員カードやビジターカードのガイドレール３９８上の移動を、駆動モータ３８６、３９３にて駆動回転されることにより実施する搬送ローラ３８７、３８８と、前記搬送ローラ３８７、３８８の一方側に張架された搬送ベルト３９１と、から成る搬送機構や、該搬送される会員カードやビジターカードを所定位置に停止させるストップピンの出没を行うソレノイド３８９や、所定位置に停止された会員カードやビジターカードへの給電やデータ通信を行う通信ヘッド３９０や、該通信ヘッド３９０に接続されて会員カードやビジターカードとのデータ送受の制御を行う通信基板３２７ａと、が設けられており、挿入されている会員カードやビジターカードからのデータの読み取り及び会員カードやビジターカードへの書き込みが非接触状態にて可能とされている。